(57)【要約】【課題】製造工程の不備による光記録媒体内の特性ばらつきを検出可能で、しかも、広い領域にわたって評価できる評価方法及び評価システムを提供する。【解決手段】光ピックアップヘッド（ＰＵＨ）２と、光ピックアップヘッド２を介して読み出された再生信号を増幅する増幅器３と、増幅器３で増幅された再生信号をディジタル信号に変換するＡ／Ｄ変換装置４と、Ａ／Ｄ変換装置４でＡ／Ｄ変換された再生波形を数値処理する処理装置５ａとを備え、処理装置５ａは、振幅データ取得モジュール４１、統計的処理モジュール４２ａ、比較判定モジュール４３を備える。統計的処理モジュール４２ａは、平均値で振幅データを規格化する平均値規格化モジュール４２１、標準偏差を取得する標準偏差取得モジュール４２２、振幅データをフーリエ変換する振幅フーリエ変換モジュール４３１及びフーリエ変換成分Ｓ／Ｎ比取得モジュール４３２を備える。【選択図】      図１
2004303356.tif 000002
【特許請求の範囲】
【請求項１】
一定のマーク長を有する単一信号を、相変化型光記録媒体の第１領域に記録する段階と、
前記相変化型光記録媒体から前記単一信号を再生し、第１再生信号を取得する段階と、
前記第１再生信号の振幅に関するデータを統計的に処理して、被評価対象値を算出する段階と、
前記被評価対象値を、予め用意した評価基準値と比較する段階とを含むことを特徴とする光記録媒体評価方法。
【請求項２】
前記被評価対象値を算出する段階は、前記第１再生信号の振幅分布の標準偏差を前記被評価対象値として算出するステップを含むことを特徴とする請求項１に記載の光記録媒体評価方法。
【請求項３】
前記被評価対象値を算出する段階は、
前記第１再生信号の振幅の平均値で、前記第１再生信号を規格化するステップと、
規格化された前記第１再生信号の振幅分布の標準偏差を前記被評価対象値として算出するステップとを含むことを特徴とする請求項１に記載の光記録媒体評価方法。
【請求項４】
ランダムなマーク長の信号が混在したランダム信号を、前記相変化型光記録媒体の第１領域に記録する段階を、前記単一信号を記録する段階の前に更に含むことを特徴とする請求項１〜３のいずれか１項に記載の光記録媒体評価方法。
【請求項５】
前記第１領域は、評価対象トラックの少なくとも一部であり、
該評価対象トラックの少なくとも一部に隣接するトラックに、ランダムなマーク長の信号が混在したランダム信号を記録する段階を更に含むことを特徴とする請求項１に記載の光記録媒体評価方法。
【請求項６】
前記被評価対象値を算出する段階は、
特定の周波数領域における前記第１再生信号の振幅のフーリエ変換をするステップと、
該フーリエ変換により得られたスペクトラムから、被評価対象値として最大信号対ノイズ比を求めるステップとを含むことを特徴とする請求項１に記載の光記録媒体評価方法。
【請求項７】
前記第１領域は、評価対象となる第１トラック部の少なくとも一部であり、
前記第１領域に近接する第２トラック部に前記単一信号を記録する段階と、  前記第２トラック部から前記単一信号を再生し、第２再生信号を取得する段階とを更に含み、
前記被評価対象値を算出する段階は、前記第１再生信号と前記第２再生信号の振幅の相関係数を被評価対象値として算出するステップを含むことを特徴とする請求項１に記載の光記録媒体評価方法。
【請求項８】
前記第１領域は、評価対象となる第１トラック部の少なくとも一部であり、
前記第１領域に近接する第２トラック部の少なくとも一部を第２領域とし、該第２領域に前記単一信号を記録する段階と、
前記第２領域から前記単一信号を再生し、第２再生信号を取得する段階とを更に含み、
前記被評価対象値を算出する段階は、
前記第１再生信号の平均値を取得するステップと、
前記第２再生信号の平均値を取得するステップと、
前記第１再生信号を前記第１再生信号の平均値で規格化するステップと、
前記第２再生信号を前記第２再生信号の平均値で規格化するステップと、
規格化された前記第１再生信号の振幅と規格化された前記第２再生信号の振幅の相関係数を被評価対象値として算出するステップとを含むことを特徴とする請求項１に記載の光記録媒体評価方法。
【請求項９】
相変化型光記録媒体から再生信号を読み出す光ピックアップヘッドと、
該光ピックアップヘッドを介して読み出された再生信号を増幅する増幅器と、増幅器で増幅された再生信号をディジタル信号に変換するＡ／Ｄ変換装置と、
該Ａ／Ｄ変換装置でＡ／Ｄ変換された再生波形を数値処理する処理装置と備え、該処理装置は、
前記再生信号の振幅データを取得する振幅データ取得モジュールと、
前記振幅データの統計的処理を実行する統計的処理モジュールと、
前記統計的処理の結果得られたデータと評価基準値とを比較する比較判定モジュールとを有することを特徴とする光記録媒体評価システム。
【発明の詳細な説明】
【０００１】
【発明の属する技術分野】
本発明は情報を高密度記録可能な光記録媒体の合否を簡便に評価する光記録媒体評価方法及び評価システムに関する。
【０００２】
【従来の技術】
ＤＶＤ  Ｖｅｒ．２．０の規定においては、単一信号を記録したときの振幅むらを元に、光記録媒体の均一性を規定している。先ず、規定の領域に最長マーク長を有する単一信号を記録する。このとき、再生信号は矩形波となるが、その振幅の最大値で規格化したとき、各矩形波の振幅の最小値が、トラック一周で０．８５、光記録媒体全体で０．６７よりも小さい媒体を不適とする判定方法である。
【０００３】
しかしながら、ＤＶＤ  Ｖｅｒ．２．０は、波長６５０ｎｍ、ＮＡ０．６で４．７ＧＢであり、これは現在規格化が進行中の次世代書き換え型相変化光記録媒体の条件４０５ｎｍ、ＮＡ０．６５に換算すると、たかだか１３．６ＧＢにすぎない。次世代書き換え型相変化光記録媒体では、片面単層で２０ＧＢの高密度化が実現される見込みであるが、これは、レーザーの高性能化、信号処理の進歩など、高密度化技術の結晶である。このように高密度化が進展すると、媒体に求められる特性も高くなるため、前述の振幅に関する規定だけでは、システムに適合した光記録媒体と不適なものとを区別することが難しくなる。
【０００４】
光記録媒体の適・不適を評価する方法として、再生信号処理にＰＲＭＬ方式を採用して光記録媒体を再生する場合、光記録媒体から得られる再生信号を等化信号へ変換し、新たな分布の標準偏差を被評価対象値として用いる方法が提案されている（特許文献１参照。）。特許文献１において提案された方法においては、光記録媒体から光ピックアップヘッド（ＰＵＨ）を介して読み出された再生信号は、増幅器で増幅され、ＡＤ変換器でＡＤ変換された後、ＰＲＭＬ方式のＰＲ（１，２，２，１）特性と呼ばれる識別点間の特性を満たすような等化信号へと変換される。等化信号は７レベルに分布するが、この等化信号を２つに分岐した一方が基準値算出器に入力され、被評価対象値が計算される。基準値算出器では、０，１，２，３，４，５，６を理想とする７レベルの分布を、先ず、［−０．５，０．５］、［０．５，１．５］、［１．５，２．５］、［２．５，３．５］、［３．５，４．５］、［４．５，５．５］、［５．５，６．５］の７区間に切り分ける。続いて、各分布から各々の理想レベル（０，１，２，３，４，５，６）を減算する。最後に７つの分布を足し合わせて合成された新たな分布の広がり、つまり、標準偏差を被評価対象値として用いるものである。これにより、実際の信号処理方法の観点から、光記録媒体の適・不適を評価することが出来る。
【０００５】
なお、光記録媒体の初期化の精度が悪いときには、光記録媒体一周にわたり、初期結晶状態の反射率が変動することが知られている（特許文献２参照。）。
【０００６】
【特許文献１】
特開２００２−３２９６１号公報
【０００７】
【特許文献２】
特開２０００−１８７８９４号公報
【０００８】
【発明が解決しようとする課題】
しかしながら、特許文献１に記載された方法は、製造工程の不備による光記録媒体内の特性ばらつきに鑑みてなされたものではなく、光記録媒体内の特性ばらつきを検出するためには適さない。
【０００９】
又、特許文献１に記載された方法を光記録媒体の広い領域にわたって実施することは、計算処理が多大になるために困難である。
【００１０】
上記問題点に鑑み、本発明は、製造工程の不備による光記録媒体内の特性ばらつきを検出可能で、しかも、光記録媒体の広い領域にわたって光記録媒体の適・不適を簡便に評価できる光記録媒体評価方法及び評価システムを提供することを目的とする。
【００１１】
【課題を解決するための手段】
上記目的を達成するために、本発明の第１の特徴は（イ）一定のマーク長を有する単一信号を、相変化型光記録媒体の第１領域に記録する段階と、（ロ）相変化型光記録媒体から単一信号を再生し、第１再生信号を取得する段階と、（ハ）第１再生信号の振幅に関するデータを統計的に処理して、被評価対象値を算出する段階と、（ニ）被評価対象値を、予め用意した評価基準値と比較する段階とを含む光記録媒体評価方法であることを要旨とする。
【００１２】
例えば、被評価対象値を算出する段階では、再生信号の振幅の分布を求め、記録領域にわたる振幅の分布の標準偏差を被評価対象値として、光記録媒体を評価することが出来る。このような光記録媒体に記録した単一信号の振幅分布の標準偏差を基準値として用いることにより、簡便な光記録媒体評価方法を提供することが出来る。
【００１３】
或いは、被評価対象値を算出する段階において、規定の周波数領域における振幅のフーリエ変換成分の最大信号対ノイズ比を被評価対象値として算出し、光記録媒体を評価できる。
【００１４】
特に、貼り合わせむらや膜特性のむらを解析するためには、評価の対象となる第１のトラック部の少なくとも一部に所定のマーク長を有する単一信号を記録した後、第１のトラック部の少なくとも一部における第１の再生信号の振幅を求めるステップと、第１のトラック部の少なくとも一部に近接する第２のトラック部の少なくとも一部に第１のトラック部の少なくとも一部にしたと同一の単一信号を記録した後、第２のトラック部の少なくとも一部における第２の再生信号の振幅を求めるステップを有するようにすれば良い。そして、被評価対象値を算出する段階において、第１の再生信号における振幅と第２の再生信号における振幅との相関係数を被評価対象値として算出すれば、光記録媒体を評価することが出来る。
【００１５】
本発明の第２の特徴は、（イ）相変化型光記録媒体から再生信号を読み出す光ピックアップヘッドと、（ロ）この光ピックアップヘッドを介して読み出された再生信号を増幅する増幅器と、（ハ）増幅器で増幅された再生信号をディジタル信号に変換するＡ／Ｄ変換装置と、（ニ）このＡ／Ｄ変換装置でＡ／Ｄ変換された再生波形を数値処理する処理装置とを備える光記録媒体評価システムであることを要旨とする。ここで、本発明の第２の特徴に係る光記録媒体評価システムに用いられている処理装置は、（ａ）再生信号の振幅データを取得する振幅データ取得モジュールと、（ｂ）振幅データの統計的処理を実行する統計的処理モジュールと、（ｃ）統計的処理の結果得られたデータと評価基準値とを比較する比較判定モジュールとを有する。
【００１６】
【発明の実施の形態】
次に、図面を参照して、本発明の第１及び第２の実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることは勿論である。
【００１７】
又、以下に示す本発明の第１及び第２の実施の形態は、この発明の技術的思想を具体化するための装置や方法を例示するものであって、この発明の技術的思想は、構成部品の材質、形状、構造、配置等を下記のものに特定するものでない。
この発明の技術的思想は、特許請求の範囲において、種々の変更を加えることが出来る。
【００１８】
（第１の実施の形態）
＜第１の実施の形態の光記録媒体評価システム＞
図１に示すように、本発明の第１の実施の形態に係る光記録媒体評価システムは、被評価対象である相変化型光記録媒体（以下において、「光記録媒体」と略記する。）１から再生信号（第１再生信号）を読み出す光ピックアップヘッド（ＰＵＨ）２と、光ピックアップヘッド２を介して読み出された再生信号を増幅する増幅器３と、増幅器３で増幅された再生信号（アナログ信号）をディジタル信号に変換するＡ／Ｄ変換装置４と、Ａ／Ｄ変換装置４でＡ／Ｄ変換された再生波形を数値処理する処理装置５ａとを備えている。
【００１９】
第１の実施の形態に係る光記録媒体評価システムに用いるＡ／Ｄ変換装置４としては、例えば、ディジタルオシロスコープ（ＤＳＯ）が使用可能である。又、処理装置５ａとしては、種々のコンピュータが採用可能である。Ａ／Ｄ変換装置４には、Ａ／Ｄ変換された再生信号を一時記憶する記憶装置を備えても良い。ＤＳＯを用いれば、ＤＳＯにＡ／Ｄ変換された再生信号を一時記憶することが可能なので、記憶装置をＡ／Ｄ変換装置４の外部に接続する必要はなくなる。
【００２０】
処理装置５ａは、振幅データを取得する振幅データ取得モジュール４１、振幅データの統計的処理を実行する統計的処理モジュール４２ａ、統計的処理の結果得られたデータと評価基準値とを比較し、合格若しくは不合格の判定をする比較判定モジュール４３を備える。
【００２１】
統計的処理モジュール４２ａは、振幅データの平均値で振幅データを規格化する平均値規格化モジュール４２１、振幅データの分布の標準偏差を取得する標準偏差取得モジュール４２２、振幅データをフーリエ変換する振幅フーリエ変換モジュール４３１及びフーリエ変換した結果の最大信号対ノイズ比を求めるフーリエ変換成分Ｓ／Ｎ比取得モジュール４３２を備える。
【００２２】
処理装置５ａには、更に、評価基準値を格納する評価基準値記憶装置５１，振幅データを格納する振幅データ記憶装置５２、振幅データの平均値を格納する平均値記憶装置５３，振幅データの分布の標準偏差を格納する振幅データ標準偏差記憶装置５４、振幅データをフーリエ変換した結果を格納するフーリエ変換データ記憶装置５５、フーリエ変換した結果の最大信号対ノイズ比を格納するＳ／Ｎ比記憶装置５６が接続されている。
【００２３】
＜第１の実施の形態の光記録媒体評価方法１：標準偏差による評価＞
図２に示すフローチャートを用いて、本発明の第１の実施の形態に係る光記録媒体評価方法を説明する。
【００２４】
（イ）先ず、ステップＳ１０１において、光記録媒体１を製作する。そして、ステップＳ１１０において、製作された光記録媒体１に対して、所定のマーク長を有する単一信号を、所定の領域（第１領域）にわたって記録する。例えば、光記録媒体１の１セクターにわたって９Ｔ信号の記録を行う。ここで、”Ｔ”は、チャネルクロックピリオド（ｃｈａｎｎｅｌ  ｃｌｏｃｋ  ｐｅｒｉｏｄ）である。
【００２５】
（ロ）ステップＳ１２０において、光ピックアップヘッド２を用いて、光記録媒体１の所定の領域（第１領域）から記録信号を再生する。ステップＳ１３０において、光ピックアップヘッド２が受光した再生信号（第１再生信号）を、図１に示す増幅器３を用いて、増幅し、Ａ／Ｄ変換装置４に伝達する。Ａ／Ｄ変換装置４は、増幅器３で増幅されたアナログ信号である再生信号をディジタル信号に変換する。そして、このＡ／Ｄ変換装置４で変換されたディジタル信号は、処理装置５ａの振幅データ取得モジュール４１により読み込まれ、振幅データ記憶装置５２に格納される。例えば、Ａ／Ｄ変換装置４としてのＤＳＯを用い、十分な精度で最大値・最小値を求められる程度のサンプリングレートで再生信号を取得し、処理装置５ａの振幅データ取得モジュール４１によりこの再生信号が読み込まれ、振幅データ記憶装置５２に格納される。
【００２６】
（ハ）ステップＳ１４０においては、振幅データ記憶装置５２から振幅データを読み出し、振幅データを統計的に処理する。例えば、ステップＳ１４２において、標準偏差取得モジュール４２２を用いて、振幅データの分布の標準偏差を取得する。或いは、先に、振幅データの平均値を取得し、平均値記憶装置５３に格納し、この平均値記憶装置５３に格納された平均値を用いて、ステップＳ１４１において、振幅データをその平均値で規格化しても良い。振幅データを平均値で規格化する際には、平均値規格化モジュール４２１を用いれば良い。この平均値規格化モジュール４２１を用いて、すべての振幅データを、その平均が１になるように規格化し、ステップＳ１４２において、標準偏差取得モジュール４２２を用いて、振幅データの分布の標準偏差を取得しても良い。具体的には、振幅データ記憶装置５２から取得された波形から、９Ｔ信号がなす矩形波の振幅を計算し、振幅の平均値が１になるように規格化した後、その分布を求める。この分布から得られた標準偏差を求め、これを評価基準値記憶装置５１に格納する。振幅の求め方は、単純に再生信号がなす矩形波の最大値、最小値を求め、連続する最大値と最小値との差を振幅とする。ただし、ランド・グルーブ記録の場合、ランドとグルーブでは、ビットエラーレートなどの特性が同じでも、振幅がわずかに異なる場合があるので、ランドとグルーブの再生信号を結合したものの分布から求めた標準偏差を評価基準値とするときには、ランドのみから、或いはグルーブのみから得られた標準偏差を評価基準値とするときよりも許容値を若干大きめに設定しても良い。或いは、ランドのみの振幅とグルーブのみの振幅から独立に分布を求めたのちに、それらの分布を足し合わせても良い。
【００２７】
（ニ）そして、ステップＳ１５０において、評価基準値記憶装置５１に格納されていた評価基準値と、ステップＳ１４２において取得された標準偏差と比較する。この結果、評価基準値の範囲内なら、合格とする（ステップＳ１５１）。一方、
評価基準値の範囲からはずれていれば、不合格とする（ステップＳ１５２）。１セクターから得られる単一信号の振幅をその平均で規格化したときの標準偏差の「評価基準値」は０．０３程度に選定することが好ましい。この標準偏差で評価する場合の、１セクター内での振幅の評価基準値が０．０３程度ということは、おおよそ、６×１０−３の割合で、最大値から１５％（平均から７．５％以上）離れた振幅が観測されるという条件となり、ＤＶＤ  Ｖｅｒ．２．０の規定と同等であることがわかる。
【００２８】
なお、１セクター以上にわたる振幅の分布の標準偏差は、１セクター内での振幅の「評価基準値」の０．０３よりも大きくても問題がない。低周期の変動はハイパスフィルターやオフセット補正により修正されるからである。例えば、光記録媒体１の一周にわたって得た再生信号の振幅をその平均値で規格化した後に求めた標準偏差の場合は、「評価基準値」として、０．０６程度の値が、選定可能である。即ち、光記録媒体１の一周にわたって得た再生信号の場合は、標準偏差が０．０６より小さいか否かで、光記録媒体１を評価することが出来る。
【００２９】
或いは、光記録媒体１の内周部、中周部、及び外周部の少なくとも３セクターから得た再生信号の振幅をその平均値で規格化した後に求めた標準偏差が０．０６より小さいか否かで、光記録媒体１を評価しても良い。ここで、記録可能領域が内径ｒ１から内径ｒ２までとした場合、内周部、中周部、外周部とは、おおよそ：
内周部：  ｒ１  〜  （ｒ１＋Ｄｒ／３）；
中周部：  （ｒ１＋Ｄｒ／３）  〜  （ｒ１＋２Ｄｒ／３）；
外周部：  （ｒ１＋２Ｄｒ／３）  〜  ｒ２
の範囲を示す。ただし、
Ｄｒ＝ｒ２−ｒ１                        ・・・・・（１）
とする。
【００３０】
上記ステップＳ１１０において、「所定の領域（第１領域）」を、光記録媒体１の１セクターとして、９Ｔ信号の記録を行ったが、例えば、「所定の領域（第１領域）」を光記録媒体１の媒体一周として選択し、媒体一周のばらつきを評価しても良い。或いは、内径位置における特性のばらつきを評価するために、「所定の領域（第１領域）」を内径の異なる数点として選択し、この内径の異なる数点において９Ｔ信号を記録し、再生信号を取得しても良い。
【００３１】
＜第１の実施の形態の光記録媒体評価方法２：フーリエ変換成分による評価＞ステップＳ１０１における光記録媒体１の製作時において、貼り合わせむらが生じ、光記録媒体１を初期化する際に、初期化装置の光ヘッドが十分に追従できないときには、タンジェンシャル方向に周期性を有する特性むらが生じる。この場合は、図１（ｂ）に示す振幅フーリエ変換モジュール４３１及びフーリエ変換成分Ｓ／Ｎ比取得モジュール４３２を用いて、振幅のフーリエ変換成分を用いて評価することが有効である。
【００３２】
このフーリエ変換成分による評価は、図２に示すフローチャートにおけるステップＳ１４０の内容が、光記録媒体評価方法１と異なる。即ち
（イ）先ず、光記録媒体評価方法１と同様に、ステップＳ１０１において、光記録媒体１を製作する。光記録媒体１の初期化では、送りピッチは、例えば、おおよそ６〜５０μｍの範囲に設定する。そして、ステップＳ１１０において、製作された光記録媒体１に対して、所定のマーク長を有する単一信号を、光記録媒体１の一周にわたって記録する。例えば、光記録媒体１の一周にわたって９Ｔ信号の記録を行う。
【００３３】
（ロ）ステップＳ１２０において、光ピックアップヘッド２を用いて、光記録媒体１の一周にわたって記録信号を再生する。ステップＳ１３０において、光ピックアップヘッド２が受光した再生信号を、図１に示す増幅器３を用いて、増幅し、Ａ／Ｄ変換装置４に伝達する。Ａ／Ｄ変換装置４は、増幅器３で増幅された再生信号（アナログ信号）をディジタル信号に変換する。そして、このＡ／Ｄ変換装置４で変換されたディジタル信号は、処理装置５ａの振幅データ取得モジュール４１により読み込まれ、振幅データ記憶装置５２に格納される。
【００３４】
（ハ）ステップＳ１４０においては、振幅データ記憶装置５２から振幅データを読み出し、振幅データをフーリエ変換する。具体的には、ステップＳ１４３において、振幅フーリエ変換モジュール４３１を用いて、振幅データをフーリエ変換する。これは、ステップＳ１１０において、光記録媒体１に対して、所定のマーク長を有する単一信号を、等間隔に記録しているので、ステップＳ１２０及びステップＳ１３０により取得した振幅データが等間隔で並んでいるものとして、そのフーリエ変換を行う。
【００３５】
（ニ）次に、ステップＳ１４４において、フーリエ変換成分Ｓ／Ｎ比取得モジュール４３２を用いて、フーリエ変換成分の最大信号対ノイズ比（Ｓ／Ｎ比）を取得する。光記録媒体１の初期化が適正に行われていないときには、初期化装置の光ヘッドの送りピッチ程度の周期を有するノイズが生じるので、フーリエ変換されたものの中で、図４（ａ）に示すようなピークが生じることになる。このときの最大ピーク値とバックグランドノイズとの比をもとに、１０ｌｏｇ１０（Ｓ／Ｎ）を最大信号対ノイズ比とする。
【００３６】
（ホ）そして、ステップＳ１５０において、評価基準値記憶装置５１に格納されていた評価基準値と、ステップＳ１４２において取得されたフーリエ変換成分のＳ／Ｎ比と比較する。この結果、フーリエ変換成分の最大信号対ノイズ比が評価基準値の範囲内なら、合格とする（ステップＳ１５１）。一方、フーリエ変換成分の最大信号対ノイズ比が評価基準値の範囲からはずれていれば、不合格とする（ステップＳ１５２）。振幅をフーリエ変換したときに、規定の周波数領域における「評価基準値」としての最大信号対ノイズ比は１０ｄＢ程度以下であることが好ましい。
【００３７】
上記のように、フーリエ変換成分のＳ／Ｎ比を用いることにより、光記録媒体１の初期化などに由来する周期的なノイズ成分の評価を行うことが出来る。このとき、ピークが観測される周波数は、光記録媒体１のタンジェンシャル方向への線速度をｖ［ｍ／ｓ］、送りピッチをｐ［μｍ］とするとき、おおよそｖ／ｐ［ＭＨｚ］と考えられる。したがって、初期化の送りピッチと照らし合わせると、おおよそｖ／６［ＭＨｚ］以下の周波数領域のスペクトルに注目すれば良いことになる。実際には、規定の周波数領域としては、初期化ピッチに対応するノイズ成分を検出できるように、線速度をｖ［ｍ／ｓ］としたとき、ピークが観測されるｖ／６［ＭＨｚ］の２倍程度のｖ／３［ＭＨｚ］以下とすることが好ましい。
【００３８】
−第１の実施の形態の変形例（第１変形例）−
図５は、本発明の第１の実施の形態の変形例（第１変形例）に係る光記録媒体評価方法を説明するためのフローチャートである。図２に示すフローチャートとの相違点は、ステップＳ１０２において、製作された光記録媒体１に対してランダム信号を記録してから、ステップＳ１１０において、所定のマーク長を有する単一信号を、光記録媒体１の所定の領域にわたって記録している点である。「ランダム信号」とは、チャネルクロックピリオドをＴとして、２Ｔ，３Ｔ，４Ｔ，・・・・・，８Ｔ，９Ｔの信号をランダムに含む信号である。他は、図２に示すフローチャートと同じである。
特許文献２が開示するように、光記録媒体１の初期化の精度が悪いときには、光記録媒体一周にわたり、初期結晶状態の反射率が変動する。図２に示すフローチャートのように、光記録媒体１の初期化の直後に、ステップＳ１１０において、未記録トラックに単一信号を記録した場合には、図４（ａ）に示すようなノイズ成分が観測される。このノイズ成分は信号をオーバーライトすると減少する。
そこで、図５に示すフローチャートのように、ステップＳ１０２において、実際にランダム信号を１０回記録した後にステップＳ１１０において単一信号を記録した場合の、振幅のスペクトルは、図４（ｂ）に示すようになり、このノイズ成分はほとんど観測されない。
【００３９】
図４（ａ）に示すようなノイズ成分が観測される理由は明らかではないが、以下のように推察される。光記録媒体１を貼り合わせたときに、チルトなどの機械特性のむらが大きいと、初期化装置の光ヘッドの焦点調整はむらに追従できず、結果として初期結晶状態にむらを生じる。貼り合わせ工程では一般に樹脂をスピンコートして塗布するので、チルトのむらはある程度周期性を有することになる。しかし、記録再生装置の光ピックアップヘッド２は、初期化装置よりも正確なフィードバック信号により、このむらに追従することが出来、信号をオーバーライトすることにより、初期結晶状態のむらをならしていく。
【００４０】
以上の理由から、単一信号の振幅のスペクトルの解析をする場合は、図５に示すフローチャートのように、ステップＳ１０２において、未記録のトラックにランダム信号を記録してから、ステップＳ１１０に進み、単一信号を記録するのが良い。
【００４１】
なお、特性むらは完全な周期性を有しているわけではないため、得られるノイズ成分をガウス分布で近似した場合には、０．１［ＭＨｚ］以上の半値全幅を有する場合が多い。又、このように完全な周期性をもたないノイズ成分をスペクトラムアナライザーで解析するためには、特定の角度領域のみを解析できるように、トリガーやデータ長を調整することが必要である。データ長は１セクター程度が好ましい。
【００４２】
又、これらのノイズ成分は等価器を用いてある程度は取り除くことが出来るが、ノイズ成分が大きすぎると、等価器の出力全体のノイズ成分が上昇する。したがって、等価器への入力信号のノイズは小さいことが望ましく、最大信号対ノイズ比は１０ｄＢ程度以下であることが好ましい。
【００４３】
−第１の実施の形態の他の変形例（第２変形例）−
図６は、本発明の第１の実施の形態の他の変形例（第２変形例）に係る光記録媒体評価方法を説明するためのフローチャートである。図２に示すフローチャートとの相違点は、ステップＳ１０３において、評価対象トラックに所定のマーク長を有する信号を記録し、その後ステップＳ１０４において、評価対象トラックに隣接するトラックにランダム信号を記録している点である。ステップＳ１２１以降の、光ピックアップヘッド２を用いて評価対象トラックから信号を再生するステップ以降の流れは、図２のフローチャートのステップＳ１２０以降の流れと全く同様であり、重複した説明を省略する。
【００４４】
ランド・グルーブ記録した場合には、特に、隣接トラック間のクロスイレースが大きな問題となるので、図６に示すフローチャートの光記録媒体評価方法が有効である。
【００４５】
第１の実施の形態の第２変形例に係る光記録媒体評価方法によれば、クロスイレース込みで光記録媒体１の特性を評価できるように、ステップＳ１０３において、評価の対象となるトラックに所定のマーク長を有する信号（例えば９Ｔ信号）を記録した後、ステップＳ１０４において、両隣接トラックにランダム信号を、例えば、１０回ほど記録してから、ステップＳ１２１以降の評価をすると、より正確な光記録媒体１の評価が可能となる。
【００４６】
（第２の実施の形態）
発明者らは、成膜時のダスト混入や貼り合わせむらは複数のトラックにわたり相関を有する特性むらを生ぜしめることを見出した。本発明の第２の実施の形態に係る光記録媒体評価システム及び光記録媒体評価方法は、これらの複数のトラックにわたる相関を有する特性むらを検出する。
【００４７】
＜第２の実施の形態の光記録媒体評価システム＞
図７に示すように、本発明の第２の実施の形態に係る光記録媒体評価システムは、第１の実施の形態と同様に、被評価対象である光記録媒体１から再生信号を読み出す光ピックアップヘッド（ＰＵＨ）２と、光ピックアップヘッド２を介して読み出された再生信号を増幅する増幅器３と、増幅器３で増幅された再生信号（アナログ信号）をディジタル信号に変換するＡ／Ｄ変換装置４と、Ａ／Ｄ変換装置４でＡ／Ｄ変換された再生波形を数値処理する処理装置５ｂとを備えている。処理装置５ｂは、振幅データを取得する振幅データ取得モジュール４１、振幅データの統計的処理を実行する統計的処理モジュール４２ｂ、統計的処理の結果得られたデータと評価基準値とを比較し、合格若しくは不合格の判定をする比較判定モジュール４３を備える。統計的処理モジュール４２ｂは、相関係数取得モジュール４２５ａを備える。
【００４８】
処理装置５ｂには、更に、評価基準値を格納する評価基準値記憶装置５１，振幅データを格納する振幅データ記憶装置５２、相関係数記憶装置６１が接続されている。
【００４９】
＜第２の実施の形態の光記録媒体評価方法＞
図８に示すフローチャートを用いて、本発明の第２の実施の形態に係る光記録媒体評価方法を説明する。
【００５０】
（イ）先ず、ステップＳ２０１において、光記録媒体１を製作する。そして、ステップＳ２１１において、製作された光記録媒体１に対して、所定のマーク長を有する単一信号を、第１領域に記録する。例えば、「第１領域」として、光記録媒体１の特定のトラックを選択し、この特定のトラックに９Ｔ信号の記録を行う。この際、図５に示すフローチャートと同様に、光記録媒体１に対してステップＳ２０５において、ランダム信号を記録してから、ステップＳ２１１において、所定のマーク長を有する単一信号を、光記録媒体１の第１領域に記録しても良い。
【００５１】
（ロ）ステップＳ２１２において、光ピックアップヘッド２を用いて、光記録媒体１の第１領域（特定のトラック）から記録信号（第１再生信号）を再生する。ステップＳ２１３において、光ピックアップヘッド２が受光した第１再生信号を、図７に示す増幅器３を用いて、増幅し、Ａ／Ｄ変換装置４に伝達する。Ａ／Ｄ変換装置４は、増幅器３で増幅された第１再生信号（アナログ信号）をディジタル信号に変換する。そして、このＡ／Ｄ変換装置４で変換されたディジタル信号は、処理装置５ｂの振幅データ取得モジュール４１により読み込まれ、振幅データ記憶装置５２に格納される。
【００５２】
（ハ）次に、ステップＳ２２１において、所定のマーク長を有する単一信号を、光記録媒体１の第２領域に記録する。例えば、「第２領域」として、光記録媒体１の特定のトラックから数トラックはなれた別のトラックを選択し、この別のトラックに９Ｔ信号の記録を行う。どれだけ離れた領域まで振幅間に相関があるかは、特性むらの広がった領域にもよるが、１トラックから１０トラック程度離れた領域で評価することが望ましい。
【００５３】
（ニ）ステップＳ２２２において、光ピックアップヘッド２を用いて、光記録媒体１の第２領域（特定のトラックとは別のトラック）から記録信号（第２再生信号）を再生する。ステップＳ２２３において、光ピックアップヘッド２が受光した第２再生信号を、図７に示す増幅器３を用いて、増幅し、Ａ／Ｄ変換装置４に伝達する。Ａ／Ｄ変換装置４は、増幅器３で増幅された第２再生信号（アナログ信号）をディジタル信号に変換する。そして、このＡ／Ｄ変換装置４で変換されたディジタル信号は、処理装置５ｂの振幅データ取得モジュール４１により読み込まれ、振幅データ記憶装置５２に格納される。
【００５４】
（ホ）ステップＳ２３０ａにおいては、振幅データ記憶装置５２から振幅データを読み出し、振幅データを統計的に処理する。具体的には、ステップＳ２３１において、相関係数取得モジュール４２５ａを用いて、第１再生信号と第２再生信号との相関係数を取得する。
【００５５】
（ニ）そして、ステップＳ２４０において、評価基準値記憶装置５１に格納されていた評価基準値（相関係数）と、ステップＳ２３１において取得された相関係数と比較する。この結果、評価基準値の範囲内なら、合格とする（ステップＳ２４１）。一方、評価基準値の範囲からはずれていれば、不合格とする（ステップＳ２４２）。
【００５６】
−第２の実施の形態の変形例−
＜第２の実施の変形例の光記録媒体評価システム＞
図１０に示すように、本発明の第２の実施の形態の変形例に係る光記録媒体評価システムは、図７（ａ）と同様に、被評価対象である光記録媒体１から再生信号を読み出す光ピックアップヘッド（ＰＵＨ）２と、光ピックアップヘッド２を介して読み出された再生信号を増幅する増幅器３と、増幅器３で増幅された再生信号（アナログ信号）をディジタル信号に変換するＡ／Ｄ変換装置４と、Ａ／Ｄ変換装置４でＡ／Ｄ変換された再生波形を数値処理する処理装置５ｃとを備えている。
【００５７】
第２の実施の形態の変形例に係る処理装置５ｃは、振幅データ（第１再生信号）を取得する第１再生信号取得モジュール４１ａ、振幅データ（第２再生信号）を取得する第２再生信号取得モジュール４１ｂ、振幅データ（第１及び第２再生信号）の統計的処理を実行する統計的処理モジュール４２ｃ、統計的処理の結果得られたデータと評価基準値とを比較し、合格若しくは不合格の判定をする比較判定モジュール４３を備える。
【００５８】
統計的処理モジュール４２ｃは、第１再生信号の平均値を取得する第１再生信号平均値取得モジュール４２１、第２再生信号の平均値を取得する第２再生信号平均値取得モジュール４２２，第１再生信号を平均値で規格化する第１再生信号モジュール４２３、第２再生信号を平均値で規格化する第２再生信号規格化モジュール４２４及び、平均値で規格化された第１再生信号と第２再生信号相関係数を取得する相関係数取得モジュール４２５ｂを備える。
更に、第２の実施の形態の変形例に係る処理装置５ｃは、基準値を格納する評価基準値記憶装置５１、第１再生信号を記憶する第１再生信号記憶装置５２ａ、第２再生信号を記憶する第２再生信号記憶装置５２ｂ、第１再生信号の平均値を記憶する第１再生信号平均値記憶装置６１ａ、第２再生信号の平均値を記憶する第２再生信号平均値記憶装置６１ｂ及び相関係数記憶装置６１が接続されている。
【００５９】
＜第２の実施の変形例の光記録媒体評価方法＞
図１１に示すフローチャートを用いて、本発明の第２の実施の形態の変形例に係る光記録媒体評価方法を説明する。
【００６０】
（イ）先ず、ステップＳ２０１において、光記録媒体１を製作する。そして、ステップＳ２１１において、製作された光記録媒体１に対して、所定のマーク長を有する単一信号を、第１領域に記録する。例えば、「第１領域」として、光記録媒体１の特定のトラックを選択し、この特定のトラックに９Ｔ信号の記録を行う。この際、図８に示すフローチャートと同様に、光記録媒体１に対してステップＳ２０５において、ランダム信号を記録してから、ステップＳ２１１において、所定のマーク長を有する単一信号を、光記録媒体１の第１領域に記録しても良い。
【００６１】
（ロ）ステップＳ２１２において、光ピックアップヘッド２を用いて、光記録媒体１の第１領域（特定のトラック）から記録信号（第１再生信号）を再生する。ステップＳ２１３において、光ピックアップヘッド２が受光した第１再生信号を、図１０に示す増幅器３を用いて、増幅し、Ａ／Ｄ変換装置４に伝達する。Ａ／Ｄ変換装置４は、増幅器３で増幅された第１再生信号（アナログ信号）をディジタル信号に変換する。そして、このＡ／Ｄ変換装置４で変換されたディジタル信号は、処理装置５ｃの第１再生信号取得モジュール４１ａにより読み込まれ、第１再生信号記憶装置５２ａに格納される。
【００６２】
（ハ）次に、ステップＳ２２１において、所定のマーク長を有する単一信号を、光記録媒体１の第２領域に記録する。例えば、「第２領域」として、光記録媒体１の特定のトラックから数トラックはなれた別のトラックを選択し、この別のトラックに９Ｔ信号の記録を行う。
【００６３】
（ニ）ステップＳ２２２において、光ピックアップヘッド２を用いて、光記録媒体１の第２領域（特定のトラックとは別のトラック）から記録信号（第２再生信号）を再生する。ステップＳ２２３において、光ピックアップヘッド２が受光した第２再生信号を、図１０に示す増幅器３を用いて、増幅し、Ａ／Ｄ変換装置４に伝達する。Ａ／Ｄ変換装置４は、増幅器３で増幅された第２再生信号（アナログ信号）をディジタル信号に変換する。そして、このＡ／Ｄ変換装置４で変換されたディジタル信号は、処理装置５ｃの第２再生信号取得モジュール４１ｂにより読み込まれ、第２再生信号記憶装置５２ｂに格納される。
【００６４】
（ホ）ステップＳ２３０ｂにおいては、先ず、ステップＳ２３２において、第１再生信号記憶装置５２ａから第１再生信号を読み出し、第１再生信号の平均値を取得し、それを第１再生信号平均値記憶装置６１ａに格納する。次に、ステップＳ２３３において、第２再生信号記憶装置５２ｂから第２再生信号を読み出し、第２再生信号の平均値を取得し、それを第２再生信号平均値記憶装置６１ｂに格納する。
【００６５】
（ヘ）そして、ステップＳ２３４において、第１再生信号平均値記憶装置６１ａから、ステップＳ２３２において取得した第１再生信号の平均値を読み出し、第１再生信号を、第１再生信号の平均値で規格化する。同様に、ステップＳ２３５において、第２再生信号平均値記憶装置６１ｂから、ステップＳ２３３において取得した第２再生信号の平均値を読み出し、第２再生信号を、第２再生信号の平均値で規格化する。その後、ステップＳ２３６において、平均値で規格化された第１再生信号と第２再生信号の振幅との相関係数を取得する。
（ト）そして、ステップＳ２４０において、評価基準値記憶装置５１に格納されていた評価基準値（相関係数）と、ステップＳ２３６において取得された相関係数と比較する。この結果、評価基準値の範囲内なら、合格とする（ステップＳ２４１）。一方、評価基準値の範囲からはずれていれば、不合格とする（ステップＳ２４２）。
【００６６】
近接するトラック間における振幅をそれらの平均で規格化したときの相関係数の「評価基準値」は、０．５以下に選定することが好ましい。相関係数の評価基準値は、０．２以下であることがより好ましい。
【００６７】
【実施例】
製造段階に微妙な相違を有し、特性の異なる第１、第２、第３及び第４の被評価記録媒体を用意し、これらの第１、第２、第３及び第４の被評価記録媒体を評価した実施例について、以下において説明する。
【００６８】
実施例で評価した第１、第２、第３及び第４の被評価記録媒体は、ポリカーボネイト基板の上に、干渉膜としてのＺｎＳ：ＳｉＯ２膜、ＳｉＯ２膜、ＺｎＳ：ＳｉＯ２膜、記録膜としてのＧｅＳｂＴｅＢｉ膜、保護膜としてのＺｎＳ：ＳｉＯ２膜、反射膜としてのＡｇＰｄＣｕ膜を順次製膜した光記録媒体である。第１、第２、第３及び第４の被評価記録媒体基板はランド・グルーブ記録タイプのもので、トラックピッチを０．３４μｍとした。
【００６９】
実施例における評価条件は、実際に記録再生するときと同じ条件、線速度５．６ｍ／ｓ、９Ｔマーク長０．７８μｍ（ビットピッチ０．１３μｍ／ｂｉｔ）、記録光ピークパワー５．０ｍＷ、バイアス光パワー０．１ｍＷ、再生光強度０．５ｍＷとした。Ａ／Ｄ変換装置のサンプリングレートは、９Ｔ信号の周期約３００ｎｓに比べて十分に小さくなるように、４ｎｓとした。
【００７０】
＜第１の被評価記録媒体＞
第１の被評価記録媒体の内径４０ｍｍの位置にあるランドに１セクターにわたり、９Ｔ信号を記録し、再生信号を記録した。記録された再生信号から各位置における振幅を求めた。振幅の平均値で規格化した振幅の分布を示すと図３中の実線のようになり、このときの標準偏差は０．１３であった。更に、同じトラックにランダム信号を１０回記録した後、再び９Ｔ信号を記録し、同様の処理を行って振幅の分布を求めた結果が図３中の点線である。このときの標準偏差は０．０４４であった。このように、非常に標準偏差が大きく、特性が満たされない媒体であっても、ランダム記録をすると、ある程度特性むらが小さくなることがある。更に、内径２５ｍｍ（内周部）、４０ｍｍ（中周部）、５５ｍｍ（外周部）の３箇所に位置するランドの１セクターにわたって、ランダム信号を１０回記録した後、９Ｔ信号を記録し、すべての振幅分布から求めた平均で規格化した後に、その標準偏差を求めると、０．０６５と非常に大きなものとなった。
【００７１】
この第１の被評価記録媒体が非常に標準偏差が大きい理由を調べるために、内径４０ｍｍの位置において、評価を行ったトラックに隣接したグルーブに、同様にランダム信号を記録した後、９Ｔ信号を記録し、再生信号を記録した。トラックジャンプ信号をトリガー信号として用い、タンジェンシャル方向に対応した振幅間の相関を示したのが、図９（ａ）である。このときの振幅の相関係数は０．７５であった。同様に、評価を行った第１の被評価記録媒体のランドから４トラック離れたランドに記録した９Ｔ信号の振幅との相関を求めたところ、その相関係数は０．６９であった。このように、比較的広範囲にわたり相関を有する特性むらがあるために、１セクターにわたっても振幅の分布の標準偏差が大きかったと考えられる。この第１の被評価記録媒体は貼り合わせ時にむらが生じているか、或いは、成膜時にダストが混入したと推察される。
【００７２】
＜第２の被評価記録媒体＞
次に、貼り合わせ特性に優れた第２の被評価記録媒体に関して同様な評価をした結果を示す。第２の被評価記録媒体の膜組成は第１の被評価記録媒体と全く同じである。１セクター及びディスク一周に９Ｔ信号を記録したときの、タンジェンシャル方向の振幅揺らぎは第１の被評価記録媒体と比較して小さく、０．０３１及び０．０４１であった。
【００７３】
又、第２の被評価記録媒体の４トラックはなれた位置にあるトラック間で振幅の相関を求めると、図９（ｂ）に示したように、０．２４と小さい。
【００７４】
したがって、第２の被評価記録媒体では、複数のトラックにわたり相関を有する特性むらは小さいと考えられるので、続いて、タンジェンシャル方向に周期性を有する特性むらの評価を行った。つまり、未記録トラックに９Ｔ信号を１回記録し、再生信号の振幅をフーリエ変換し、低周波領域の成分を評価した。図４（ａ）に示すように、ほぼ送りピッチに対応する位置にピークが観測される。これは、初期化がうまく行われていないことを示す。図４（ａ）に示すピークのＳ／Ｎ比は、１１．３ｄＢであった。
【００７５】
＜第３の被評価記録媒体＞
更に、貼り合わせ特性にも、初期化特性にも優れた第３の被評価記録媒体を同様に評価した。この第３の被評価記録媒体の１セクター及びトラック一周に、ランダム信号記録後に９Ｔ信号を記録したときの振幅分布の標準偏差を求めると、０．０１０及び０．０１５であった。第３の被評価記録媒体はクロスイレースも十分に小さな値に抑えられているため、隣接トラックにランダム信号を１０回記録した後で評価しても、振幅分布の標準偏差は０．０１７とほぼ変わらなかった。第３の被評価記録媒体は、第１の被評価記録媒体と同様に３箇所のランドに記録した９Ｔ信号から得られた振幅分布の標準偏差も０．０２１と非常に小さな値であり、内径方向の特性ばらつきも十分に小さいことがわかる。
【００７６】
又、第３の被評価記録媒体の隣接するランドにランダム信号を記録した後、９Ｔ信号を記録したときの、隣接トラックにおける振幅の相関を求めたところ、０．１３と小さな値であった。
【００７７】
更に、第２の被評価記録媒体と同様に、振幅分布をフーリエ変換したものは、図４（ｂ）のようになり、第２の被評価記録媒体のように低周波数領域にノイズ成分をもたなかった。
【００７８】
第１、第２及び第３の被評価記録媒体のビットエラーレートを実際に測定してみると、第１の被評価記録媒体では、ビットエラーレートは５．３×１０−５から測定不能な領域までばらつくのに対し、第２の被評価記録媒体では、４．８×１０−５から９．２×１０−５までばらつき、第３の被評価記録媒体では、全領域で３．３×１０−５以下のビットエラーレートを得ることが出来た。第３の被評価記録媒体のみが、内径方向、タンジェンシャル方向に十分なチルトマージンを有していた。
【００７９】
＜第４の被評価記録媒体：初期化条件の影響＞
初期化の精度が光記録媒体１の反射率むらにどのように影響を与えるかを、実際に第４被評価記録媒体中のラジアル方向で異なる領域を、異なる初期化条件で初期化して測定した。
【００８０】
第４被評価記録媒体の内径４２ｍｍから４４ｍｍの範囲を初期化装置の線速度１０ｍ／ｓ、送りピッチ６μｍ、初期化パワー１４００ｍＷで初期化した。
【００８１】
一方、内径４４ｍｍから４６ｍｍの範囲は線速度１４ｍ／ｓ、送りピッチ１０μｍ、初期化パワー１０５０ｍＷで３回初期化した後、線速度１４ｍ／ｓ、送りピッチ１０μｍ、初期化パワー１４００ｍＷで１回初期化した。
【００８２】
内径４３ｍｍの位置にある未記録のトラックに９Ｔ信号を１回記録し、その再生信号の振幅のスペクトルを求めたところ、図４（ａ）と同様に０．８［ＭＨｚ］近辺におよそ１２ｄＢのノイズ成分が見られた。このスペクトルを拡大すると図１２（ａ）のようになり、ノイズ成分の半値全幅はおよそ０．０１５［ＭＨｚ］であった。データ長を半分にしてスペクトルを求めると、図１２（ｂ）のようになり、半値全幅が大きく減少したスペクトルを得た。このとき、ノイズ成分は、１８ｄＢと大きなものだった。より狭い領域では、貼り合わせのチルトむらはほぼ周期的であることが、このようにデータ数を減らしたときに、半値全幅が小さく、振幅の大きなノイズが観測された原因だと考えられる。一方、このトラックに９Ｔ信号を１０回オーバーライトした後、その再生信号の振幅のスペクトルを求めると、図１２（ｃ）のようになり、ノイズ成分が減少した。これは、オーバーライトを行うことにより、初期化のむらをならしたためと考えられる。
【００８３】
一方、内径４５ｍｍの位置にあるトラックでは、未記録のトラックに９Ｔ信号を１回記録したときの再生信号からも、ランダム信号をオーバーライトした後に、９Ｔ信号を記録したときの再生信号からも図１２（ｃ）のように、大きなノイズ成分をもたないスペクトルが得られた。
【００８４】
（その他の実施の形態）
上記のように、第１及び第２の実施の形態によって記載したが、この開示の一部をなす論述及び図面はこの発明を限定するものであると理解すべきではない。
この開示から当業者には様々な代替実施の形態、実施例及び運用技術が明らかとなろう。
【００８５】
例えば、第１及び第２の実施の形態では、取得した全データの平均で、全データを規格化した後、振幅の分布の標準偏差を求めたが、データ数が多くなると、データの平均は、精度を大幅に落さない範囲で、データ数を減らしていっても良い。これは、例えば、１セクター分の振幅から平均を算出しても良いし、或いは、全取得データから等間隔に間引いたものから平均を算出しても良い。
【００８６】
第１及び第２の実施の形態に係る光記録媒体評価システムでは、ＡＤ変換装置４としてＤＳＯを用いた場合について説明したが、ＡＤ変換装置４としてＡ／Ｄコンバータを採用し、このＡ／Ｄコンバータを介して、処理装置５ａ，５ｂ，５ｃにデータを転送しても良い。この場合には、光ピックアップヘッド２のフォトディテクタの出力をＡ／Ｄコンバータ４に入力する前に、高周波フィルターを介しても良いし、処理装置５ａ、５ｂ、５ｃ上での数値処理により低周波成分を除去しても良い。
【００８７】
第１の実施の形態では、解析の結果得られた振幅の分布を用いて被評価対象値を求めたが、再生信号の最大値、最小値、或いはこれらを組み合わせたものを用いても良い。このとき、相変化材料が結晶状態にあるときの反射率Ｒｃがアモルファス状態にあるときの反射率Ｒａよりも小さい媒体の場合には、一般に最大値の標準偏差が大きくなるので、最大値の評価が含まれることが好ましい。逆に、ＲｃがＲａよりも大きい媒体の場合には、一般に最小値の標準偏差が大きくなるので、最小値の評価が含まれることが好ましい。
【００８８】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【００８９】
【発明の効果】
本発明によれば、製造工程の不備による光記録媒体内の特性ばらつきを検出可能で、しかも、光記録媒体の広い領域にわたって光記録媒体の適・不適を簡便に評価できる光記録媒体評価方法及び評価システムを提供することが出来る。
【図面の簡単な説明】
【図１】本発明の第１の実施の形態に係る光記録媒体評価システムの構成を説明するための簡略化したブロック図である。
【図２】本発明の第１の実施の形態に係る光記録媒体評価方法を説明するためのフローチャートである。
【図３】第１の被評価記録媒体のトラック一周分の振幅分布を示す図である。
【図４】図４（ａ）は、第２の被評価記録媒体の振幅をフーリエ変換したスペクトルで、図４（ｂ）は、第３の被評価記録媒体の振幅をフーリエ変換したスペクトルでである。
【図５】本発明の第１の実施の形態の変形例（第１変形例）に係る光記録媒体評価方法を説明するためのフローチャートである。
【図６】本発明の第１の実施の形態の他の変形例（第２変形例）に係る光記録媒体評価方法を説明するためのフローチャートである。
【図７】本発明の第２の実施の形態に係る光記録媒体評価システムの構成を説明するための簡略化したブロック図である。
【図８】本発明の第２の実施の形態に係る光記録媒体評価方法を説明するためのフローチャートである。
【図９】図９（ａ）は、第１の被評価記録媒体の隣接したグルーブとランドにおける振幅の相関を示す図で、図９（ｂ）は、第２の被評価記録媒体の４トラック離れたトラックにおける振幅の相関を示す図である。
【図１０】本発明の第２の実施の形態の変形例に係る光記録媒体評価システムの構成を説明するための簡略化したブロック図である。
【図１１】本発明の第２の実施の形態の変形例に係る光記録媒体評価方法を説明するためのフローチャートである。
【図１２】本発明の実施例を説明するためのスペクトル図である。
【符号の説明】
１…光記録媒体
２…光ピックアップヘッド
３…増幅器
４…ＡＤ変換装置
５ａ，５ｂ，５ｃ…処理装置
４１…振幅データ取得モジュール
４１ａ…第１再生信号取得モジュール
４１ｂ…第２再生信号取得モジュール
４２ａ，４２ｂ，４２ｃ…統計的処理モジュール
４３…比較判定モジュール
５１…評価基準値記憶装置
５２…振幅データ記憶装置
５２ａ…第１再生信号記憶装置
５２ｂ…第２再生信号記憶装置
５３…平均値記憶装置
５４…標準偏差記憶装置
５５…フーリエ変換データ記憶装置
５６…Ｓ／Ｎ比記憶装置
６１…相関係数記憶装置
６１ａ…第１再生信号平均値記憶装置
６１ｂ…第２再生信号平均値記憶装置
４２１…平均値規格化モジュール
４２１…第１再生信号平均値取得モジュール
４２２…第２再生信号平均値取得モジュール
４２３…第１再生信号モジュール
４２４…第２再生信号規格化モジュール
４２５ａ…相関係数取得モジュール
４２５ｂ…相関係数取得モジュール
４３１…振幅フーリエ変換モジュール
４３２…フーリエ変換成分Ｓ／Ｎ比取得モジュール
【図１】
2004303356.tif 000003
【図２】
2004303356.tif 000004
【図３】
2004303356.tif 000005
【図４】
2004303356.tif 000006
【図５】
2004303356.tif 000007
【図６】
2004303356.tif 000008
【図７】
2004303356.tif 000009
【図８】
2004303356.tif 000010
【図９】
2004303356.tif 000011
【図１０】
2004303356.tif 000012
【図１１】
2004303356.tif 000013
【図１２】
2004303356.tif 000014